(57)【特許請求の範囲】
【請求項１】
ＰＤＣＰ（Ｐａｃｋｅｔ  Ｄａｔａ  Ｃｏｎｖｅｒｇｅｎｃｅ  Ｐｒｏｔｏｃｏｌ）レイヤにおいて、無線基地局から、ＰＤＣＰ-ＳＮがヘッダとして付与されているＰＤＣＰ-ＰＤＵを受信するように構成されている受信部と、
前記ＰＤＣＰレイヤにおいて、前記無線基地局に対して、前記ＰＤＣＰ-ＰＤＵを送信するように構成されている送信部とを具備しており、
前記受信部は、受信した前記ＰＤＣＰ-ＰＤＵにヘッダとして付与されているＰＤＣＰ-ＳＮが受信ウィンドウ内にある場合、ＨＦＮ（Ｈｙｐｅｒ  Ｆｒａｍｅ  Ｎｕｍｂｅｒ）及び該ＰＤＣＰ-ＳＮからなるＣＯＵＮＴ値を用いて、該ＰＤＣＰ-ＰＤＵに対する解匿処理を施すように構成されており、
前記送信部は、所定トリガを検出した場合に、前記無線基地局に対して、最後に前記ＰＤＣＰ-ＰＤＵに対する解匿処理に用いた前記ＨＦＮ又は前記ＣＯＵＮＴ値を送信するように構成されていることを特徴とする移動局。
【請求項２】
ＰＤＣＰ（Ｐａｃｋｅｔ  Ｄａｔａ  Ｃｏｎｖｅｒｇｅｎｃｅ  Ｐｒｏｔｏｃｏｌ）レイヤにおいて、移動局から、ＰＤＣＰ-ＳＮがヘッダとして付与されているＰＤＣＰ-ＰＤＵを受信するように構成されている受信部と、
前記ＰＤＣＰレイヤにおいて、前記移動局に対して、前記ＰＤＣＰ-ＰＤＵを送信するように構成されている送信部とを具備しており、
前記受信部は、受信した前記ＰＤＣＰ-ＰＤＵにヘッダとして付与されているＰＤＣＰ-ＳＮが受信ウィンドウ内にある場合、ＨＦＮ（Ｈｙｐｅｒ  Ｆｒａｍｅ  Ｎｕｍｂｅｒ）及び該ＰＤＣＰ-ＳＮからなるＣＯＵＮＴ値を用いて、該ＰＤＣＰ-ＰＤＵに対する解匿処理を施すように構成されており、
前記送信部は、所定トリガを検出した場合に、前記移動局に対して、最後に前記ＰＤＣＰ-ＰＤＵに対する解匿処理に用いた前記ＨＦＮ又は前記ＣＯＵＮＴ値を送信するように構成されていることを特徴とする無線基地局。
【発明の詳細な説明】
【技術分野】
【０００１】
本発明は、移動局及び無線基地局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、移動局ＵＥ及び無線基地局ｅＮＢにおいて、ＰＤＣＰ（Ｐａｃｋｅｔ  Ｄａｔａ  Ｃｏｎｖｅｒｇｅｎｃｅ  Ｐｒｏｔｏｃｏｌ）レイヤが設けられている。
【０００３】
送信側のＰＤＣＰレイヤは、ＲＲＣ（Ｒａｄｉｏ  Ｒｅｓｏｕｒｃｅ  Ｃｏｎｔｒｏｌ）レイヤから受信したＰＤＣＰ-ＳＤＵ（Ｓｅｒｖｉｃｅ  Ｄａｔａ  Ｕｎｉｔ）に対して、ＣＯＵＮＴ値を用いて、秘匿処理や改ざん検出のための処理を施し、ＰＤＣＰ-ＳＮ（Ｓｅｑｕｅｎｃｅ  Ｎｕｍｂｅｒ）をヘッダとして付与したＰＤＣＰ-ＰＤＵ（Ｐｒｏｔｏｃｏｌ  Ｄａｔａ  Ｕｎｉｔ）をＲＬＣ（Ｒａｄｉｏ  Ｌｉｎｋ  Ｃｏｎｔｒｏｌ）レイヤに対して送信するように構成されている。
【０００４】
ここで、図５に示すように、ＣＯＵＮＴ値は、ＨＦＮ（Ｈｙｐｅｒ  Ｆｒａｍｅ  Ｎｕｍｂｅｒ）及びＰＤＣＰ-ＳＮによって構成されている。
【０００５】
なお、ＰＤＣＰ-ＳＮは、１２ビット（或いは、７ビット）からなり、ＰＤＣＰ-ＰＤＵが生成されてＲＬＣレイヤに送信される度にインクリメントされるように構成されている。また、ＨＦＮは、２０ビット（或いは、２５ビット）からなり、ＰＤＣＰ-ＳＮが周回する度にインクリメントされるように構成されている。
【０００６】
一方、受信側のＰＤＣＰレイヤは、ＣＯＵＮＴ値を用いて、解匿処理や改ざん検出処理を施すように構成されている。
【０００７】
具体的には、図６に示すように、受信側のＰＤＣＰレイヤは、受信したＰＤＣＰ-ＰＤＵにヘッダとして付与されているＰＤＣＰ-ＳＮが受信ウィンドウ外であれば、かかるＰＤＣＰ-ＰＤＵを破棄するように構成されている。
【０００８】
一方、受信側のＰＤＣＰレイヤは、受信したＰＤＣＰ-ＰＤＵにヘッダとして付与されているＰＤＣＰ-ＳＮが受信ウィンドウ内である場合には、上述のＣＯＵＮＴ値を用いて、かかるＰＤＣＰ-ＰＤＵに対して、解匿処理や改ざん検出処理を施し、受信ウィンドウを更新するように構成されている。
【０００９】
また、図７に示すように、ハンドオーバ手順や再接続手順が起動されると、送信側のＰＤＣＰレイヤは、ハンドオーバ手順や再接続手順が完了した後に、図８に示すように、ＲＬＣレイヤにおいて送達確認が取れていないＲＬＣ-ＰＤＵに多重されていたＰＤＣＰ-ＰＤＵ以降の全てのＰＤＣＰ-ＰＤＵ（図８におけるＰＤＣＰ-ＰＤＵ＃２〜＃８）を、移動局ＵＥに対して再送するように構成されている。
【００１０】
一方、受信側のＰＤＣＰレイヤは、図７及び図８に示すように、ＰＤＣＰ-ＰＤＵが多重化されているＲＬＣ-ＰＤＵの受信結果に応じて、受信ウィンドウを更新するように構成されている。
【先行技術文献】
【非特許文献】
【００１１】
【非特許文献１】３ＧＰＰ  ＴＳ３６.３２２
【非特許文献２】３ＧＰＰ  ＴＳ３６.３２３
【発明の概要】
【発明が解決しようとする課題】
【００１２】
しかしながら、発明者は、現在のＬＴＥ-Ａｄｖａｎｃｅｄ方式のＰＤＣＰレイヤでは、以下のような問題点があることを発見した。
【００１３】
例えば、図９に示すように、ハンドオーバ手順や再接続手順が起動された場合に、送信側のＰＤＣＰレイヤが、「ＨＦＮ＝０」を含むＣＯＵＮＴ値を用いて秘匿処理を施した４０９６個のＰＤＣＰ-ＰＤＵを１個のＲＬＣ-ＰＤＵに多重化して送信し、受信側のＰＤＣＰレイヤが、かかるＲＬＣ-ＰＤＵの受信が成功されたことを検出した場合に、受信ウィンドウを「ＨＦＮ：０、ＰＤＣＰ-ＳＮ：０〜２０４７」から「ＨＦＮ：１、ＰＤＣＰ-ＳＮ：０〜２０４７」に更新する。
【００１４】
その後、ハンドオーバ手順や再接続手順が完了した場合に、送信側のＰＤＣＰレイヤが、ＲＬＣレイヤにおいて送達確認が取れていないＲＬＣ-ＰＤＵに多重されていたＰＤＣＰ-ＰＤＵ以降の全てのＰＤＣＰ-ＰＤＵに対して、「ＨＦＮ＝０」を含むＣＯＵＮＴ値を用いて秘匿処理を施して送信すると、送信側のＰＤＣＰレイヤで用いられるＨＦＮと受信側のＰＤＣＰレイヤで用いられるＨＦＮとの間でずれが生じているため、受信側のＰＤＣＰレイヤにおけるＰＤＣＰ-ＰＤＵに対する解読処理が失敗してしまう。
【００１５】
そこで、本発明は、上述の課題に鑑みてなされたものであり、送信側のＰＤＣＰレイヤで用いられるＨＦＮと受信側のＰＤＣＰレイヤで用いられるＨＦＮとの間のずれを解消し、受信側のＰＤＣＰレイヤにおけるＰＤＣＰ-ＰＤＵに対する解読処理の失敗に起因するスループットの低下を回避することができる移動局及び無線基地局を提供することを目的とする。
【課題を解決するための手段】
【００１６】
本発明の第１の特徴は、移動局であって、ＰＤＣＰレイヤにおいて、無線基地局から、ＰＤＣＰ-ＳＮがヘッダとして付与されているＰＤＣＰ-ＰＤＵを受信するように構成されている受信部と、前記ＰＤＣＰレイヤにおいて、前記無線基地局に対して、前記ＰＤＣＰ-ＰＤＵを送信するように構成されている送信部とを具備しており、前記受信部は、受信した前記ＰＤＣＰ-ＰＤＵにヘッダとして付与されているＰＤＣＰ-ＳＮが受信ウィンドウ内にある場合、ＨＦＮ及び該ＰＤＣＰ-ＳＮからなるＣＯＵＮＴ値を用いて、該ＰＤＣＰ-ＰＤＵに対する解匿処理を施すように構成されており、前記送信部は、所定トリガを検出した場合に、前記無線基地局に対して、最後に前記ＰＤＣＰ-ＰＤＵに対する解匿処理に用いた前記ＨＦＮ又は前記ＣＯＵＮＴ値を送信するように構成されていることを要旨とする。
【００１７】
本発明の第２の特徴は、移動局であって、ＰＤＣＰレイヤにおいて、無線基地局から、ＰＤＣＰ-ＳＮがヘッダとして付与されているＰＤＣＰ-ＰＤＵを受信するように構成されている受信部と、前記ＰＤＣＰレイヤにおいて、前記無線基地局に対して、前記ＰＤＣＰ-ＰＤＵを送信するように構成されている送信部とを具備しており、前記受信部は、受信した前記ＰＤＣＰ-ＰＤＵにヘッダとして付与されているＰＤＣＰ-ＳＮが受信ウィンドウ内にある場合、ＨＦＮ及び該ＰＤＣＰ-ＳＮからなるＣＯＵＮＴ値を用いて、該ＰＤＣＰ-ＰＤＵに対する解匿処理を施すように構成されており、前記送信部は、所定トリガを検出した場合に、前記無線基地局に対して、次の前記ＰＤＣＰ-ＰＤＵに対する解匿処理に用いる予定の前記ＨＦＮ又は前記ＣＯＵＮＴ値を送信するように構成されていることを要旨とする。
【００１８】
本発明の第３の特徴は、移動局であって、ＰＤＣＰレイヤにおいて、無線基地局から、ＰＤＣＰ-ＳＮがヘッダとして付与されているＰＤＣＰ-ＰＤＵを受信するように構成されている受信部と、前記ＰＤＣＰレイヤにおいて、前記無線基地局に対して、前記ＰＤＣＰ-ＰＤＵを送信するように構成されている送信部とを具備しており、前記受信部は、受信した前記ＰＤＣＰ-ＰＤＵにヘッダとして付与されているＰＤＣＰ-ＳＮが受信ウィンドウ内にある場合、ＨＦＮ及び該ＰＤＣＰ-ＳＮからなるＣＯＵＮＴ値を用いて、該ＰＤＣＰ-ＰＤＵに対する解匿処理を施すように構成されており、前記送信部は、所定トリガを検出した場合に、前記無線基地局に対して、前記受信ウィンドウの下端又は上端に対応するＰＤＣＰ-ＳＮの前記ＰＤＣＰ-ＰＤＵに対する解匿処理に用いる予定の前記ＨＦＮ又は前記ＣＯＵＮＴ値を送信するように構成されていることを要旨とする。
【００１９】
本発明の第４の特徴は、無線基地であって、ＰＤＣＰレイヤにおいて、移動局から、ＰＤＣＰ-ＳＮがヘッダとして付与されているＰＤＣＰ-ＰＤＵを受信するように構成されている受信部と、前記ＰＤＣＰレイヤにおいて、前記移動局に対して、前記ＰＤＣＰ-ＰＤＵを送信するように構成されている送信部とを具備しており、前記受信部は、受信した前記ＰＤＣＰ-ＰＤＵにヘッダとして付与されているＰＤＣＰ-ＳＮが受信ウィンドウ内にある場合、ＨＦＮ及び該ＰＤＣＰ-ＳＮからなるＣＯＵＮＴ値を用いて、該ＰＤＣＰ-ＰＤＵに対する解匿処理を施すように構成されており、前記送信部は、所定トリガを検出した場合に、前記移動局に対して、最後に前記ＰＤＣＰ-ＰＤＵに対する解匿処理に用いた前記ＨＦＮ又は前記ＣＯＵＮＴ値を送信するように構成されていることを要旨とする。
【００２０】
本発明の第５の特徴は、無線基地であって、ＰＤＣＰレイヤにおいて、移動局から、ＰＤＣＰ-ＳＮがヘッダとして付与されているＰＤＣＰ-ＰＤＵを受信するように構成されている受信部と、前記ＰＤＣＰレイヤにおいて、前記移動局に対して、前記ＰＤＣＰ-ＰＤＵを送信するように構成されている送信部とを具備しており、前記受信部は、受信した前記ＰＤＣＰ-ＰＤＵにヘッダとして付与されているＰＤＣＰ-ＳＮが受信ウィンドウ内にある場合、ＨＦＮ及び該ＰＤＣＰ-ＳＮからなるＣＯＵＮＴ値を用いて、該ＰＤＣＰ-ＰＤＵに対する解匿処理を施すように構成されており、前記送信部は、所定トリガを検出した場合に、前記移動局に対して、次の前記ＰＤＣＰ-ＰＤＵに対する解匿処理に用いる予定の前記ＨＦＮ又は前記ＣＯＵＮＴ値を送信するように構成されていることを要旨とする。
【００２１】
本発明の第６の特徴は、無線基地であって、ＰＤＣＰレイヤにおいて、移動局から、ＰＤＣＰ-ＳＮがヘッダとして付与されているＰＤＣＰ-ＰＤＵを受信するように構成されている受信部と、前記ＰＤＣＰレイヤにおいて、前記移動局に対して、前記ＰＤＣＰ-ＰＤＵを送信するように構成されている送信部とを具備しており、前記受信部は、受信した前記ＰＤＣＰ-ＰＤＵにヘッダとして付与されているＰＤＣＰ-ＳＮが受信ウィンドウ内にある場合、ＨＦＮ及び該ＰＤＣＰ-ＳＮからなるＣＯＵＮＴ値を用いて、該ＰＤＣＰ-ＰＤＵに対する解匿処理を施すように構成されており、前記送信部は、所定トリガを検出した場合に、前記移動局に対して、前記受信ウィンドウの下端又は上端に対応するＰＤＣＰ-ＳＮの前記ＰＤＣＰ-ＰＤＵに対する解匿処理に用いる予定の前記ＨＦＮ又は前記ＣＯＵＮＴ値を送信するように構成されていることを要旨とする。
【発明の効果】
【００２２】
以上説明したように、本発明によれば、送信側のＰＤＣＰレイヤで用いられるＨＦＮと受信側のＰＤＣＰレイヤで用いられるＨＦＮとの間のずれを解消し、受信側のＰＤＣＰレイヤにおけるＰＤＣＰ-ＰＤＵに対する解読処理の失敗に起因するスループットの低下を回避することができる移動局及び無線基地局を提供することができる。
【図面の簡単な説明】
【００２３】
【図１】本発明の第１の実施形態に係る移動通信システムを構成する移動局及び無線基地局のプロトコルスタックを示す図である。
【図２】本発明の第１の実施形態に係る移動局の機能ブロック図である。
【図３】本発明の第１の実施形態に係る移動通信システムの動作を説明するための図である。
【図４】本発明の第１の実施形態に係る移動局の動作を示すフローチャートである。
【図５】従来の移動通信システムについて説明するための図である。
【図６】従来の移動通信システムについて説明するための図である。
【図７】従来の移動通信システムについて説明するための図である。
【図８】従来の移動通信システムについて説明するための図である。
【図９】従来の移動通信システムについて説明するための図である。
【図１０】従来の移動通信システムについて説明するための図である。
【発明を実施するための形態】
【００２４】
（本発明の第１の実施形態に係る移動通信システム）
図１乃至図４を参照して、本発明の第１の実施形態に係る移動通信システムについて説明する。
【００２５】
本実施形態に係る移動通信システムとして、ＬＴＥ-Ａｄｖａｎｃｅｄ方式の移動通信システムを例に挙げて説明するが、本発明は、かかる移動通信システムに限定されず、他の方式の移動通信システムにも適用可能である。
【００２６】
図１に示すように、本実施形態に係る移動局ＵＥ及び無線基地局ｅＮＢには、物理（ＰＨＹ）レイヤや、ＭＡＣ（Ｍｅｄｉａ  Ａｃｃｅｓｓ  Ｃｏｎｔｒｏｌ）レイヤや、ＲＬＣレイヤや、ＰＤＣＰレイヤや、ＲＲＣレイヤが設けられている。
【００２７】
図２に示すように、本実施形態に係る移動局ＵＥは、受信部１１と、管理部１２と、送信部１３とを具備している。
【００２８】
受信部１１は、ＰＤＣＰレイヤにおいて、無線基地局ｅＮＢから、ＰＤＣＰ-ＳＮがヘッダとして付与されているＰＤＣＰ-ＰＤＵ（下りデータ）を受信するように構成されている。
【００２９】
管理部１２は、受信ウィンドウを管理するように構成されている。具体的には、管理部１２は、受信ウィンドウの上端及び下端に対応するＰＤＣＰ-ＳＮを管理するように構成されている。
【００３０】
また、管理部１２は、最後にＰＤＣＰ-ＰＤＵに対する解匿処理に用いたＨＦＮ、次のＰＤＣＰ-ＰＤＵに対する解匿処理に用いる予定のＨＦＮ、及び、受信ウィンドウの下端（又は上端）に対応するＰＤＣＰ-ＳＮのＰＤＣＰ-ＰＤＵに対する解匿処理に用いる予定のＨＦＮの少なくとも１つを管理するように構成されている。
【００３１】
送信部１３は、ＰＤＣＰレイヤにおいて、無線基地局ｅＮＢに対して、ＰＤＣＰ-ＰＤＵを送信するように構成されている。
【００３２】
ここで、受信部１１によって受信されたＰＤＣＰ-ＰＤＵにヘッダとして付与されているＰＤＣＰ-ＳＮが、管理部１２によって管理されている受信ウィンドウ内にある場合、受信部１１は、かかるＰＤＣＰ-ＳＮ及び管理部１２によって次のＰＤＣＰ-ＰＤＵに対する解匿処理に用いる予定のＨＦＮとして管理されているＨＦＮからなるＣＯＵＮＴ値を用いて、かかるＰＤＣＰ-ＰＤＵに対する解匿処理を施すように構成されている。
【００３３】
また、送信部１３は、ＨＦＮ報告トリガ（所定トリガ）を検出した場合に、無線基地局ｅＮＢに対して、最後にＰＤＣＰ-ＰＤＵに対する解匿処理に用いたＨＦＮ又はＣＯＵＮＴ値を送信するように構成されていてもよい。
【００３４】
或いは、送信部１３は、ＨＦＮ報告トリガを検出した場合に、無線基地局ｅＮＢに対して、次のＰＤＣＰ-ＰＤＵに対する解匿処理に用いる予定のＨＦＮ又はＣＯＵＮＴ値を送信するように構成されていてもよい。
【００３５】
或いは、送信部１３は、ＨＦＮ報告トリガを検出した場合に、無線基地局ｅＮＢに対して、受信ウィンドウの下端（又は上端）に対応するＰＤＣＰ-ＳＮのＰＤＣＰ-ＰＤＵに対する解匿処理に用いる予定のＨＦＮ又はＣＯＵＮＴ値を送信するように構成されていてもよい。
【００３６】
ここで、送信部１３は、「ＰＤＣＰ  Ｓｔａｔｕｓ  Ｒｅｐｏｒｔ」や専用のＰＤＣＰシグナリング等によって、無線基地局ｅＮＢに対して、上述のＨＦＮ又はＣＯＵＮＴ値の少なくとも１つを送信するように構成されていてもよい。
【００３７】
或いは、送信部１３は、ＲＲＣレイヤやＲＬＣレイヤやＭＡＣレイヤや物理レイヤ等の別のレイヤにおいて、無線基地局ｅＮＢに対して、上述のＨＦＮ又はＣＯＵＮＴ値の少なくとも１つを送信するように構成されていてもよい。
【００３８】
また、送信部１３は、図３に示すように、定期的なタイミングが到来した場合に、ＨＦＮ報告トリガを検出したと判断し、無線基地局ｅＮＢに対して、上述のＨＦＮ又はＣＯＵＮＴ値の少なくとも１つを送信するように構成されていてもよい。
【００３９】
或いは、送信部１３は、無線基地局ｅＮＢから要求された場合に、ＨＦＮ報告トリガを検出したと判断し、無線基地局ｅＮＢに対して、上述のＨＦＮ又はＣＯＵＮＴ値の少なくとも１つを送信するように構成されていてもよい。
【００４０】
或いは、送信部１３は、ハンドオーバ手順や再接続手順が起動される際に、ＨＦＮ報告トリガを検出したと判断し、無線基地局ｅＮＢに対して、上述のＨＦＮ又はＣＯＵＮＴ値の少なくとも１つを送信するように構成されていてもよい。
【００４１】
或いは、送信部１３は、「ＰｒｏｈｉｂｉｔＴｉｍｅｒ」が停止（又は、満了）している場合で、かつ、定期的なタイミングが到来した場合に、ＨＦＮ報告トリガを検出したと判断し、無線基地局ｅＮＢに対して、上述のＨＦＮ又はＣＯＵＮＴ値の少なくとも１つを送信するように構成されていてもよい。
【００４２】
或いは、送信部１３は、「ＰｒｏｈｉｂｉｔＴｉｍｅｒ」が停止（又は、満了）している場合で、かつ、無線基地局ｅＮＢから要求された場合に、ＨＦＮ報告トリガを検出したと判断し、無線基地局ｅＮＢに対して、上述のＨＦＮ又はＣＯＵＮＴ値の少なくとも１つを送信するように構成されていてもよい。
【００４３】
或いは、送信部１３は、「ＰｒｏｈｉｂｉｔＴｉｍｅｒ」が停止（又は、満了）している場合で、かつ、ハンドオーバ手順や再接続手順が起動される際に、ＨＦＮ報告トリガを検出したと判断し、無線基地局ｅＮＢに対して、上述のＨＦＮ又はＣＯＵＮＴ値の少なくとも１つを送信するように構成されていてもよい。
【００４４】
ここで、「ＰｒｏｈｉｂｉｔＴｉｍｅｒ」は、無線基地局ｅＮＢによって設定されるように構成されていてもよい。
【００４５】
以下、図４を参照して、本実施形態に係る移動局ＵＥの動作について説明する。
【００４６】
図４に示すように、ステップＳ１０１において、移動局ＵＥは、ＨＦＮ報告トリガを検出したか否かについて判定する。
【００４７】
「ＹＥＳ」の場合、本動作は、ステップＳ１０２に進み、「ＮＯ」の場合、本動作は、終了する。
【００４８】
ステップＳ１０２において、移動局ＵＥは、無線基地局ｅＮＢに対して、上述のＨＦＮ又はＣＯＵＮＴ値の少なくとも１つを送信する。
【００４９】
本実施形態に係る発明によれば、移動局ＵＥが、ＨＦＮ報告トリガを検出した場合に、無線基地局ｅＮＢに対して、最後にＰＤＣＰ-ＰＤＵに対する解匿処理に用いたＨＦＮ（又は、ＣＯＵＮＴ値）、次のＰＤＣＰ-ＰＤＵに対する解匿処理に用いる予定のＨＦＮ（又は、ＣＯＵＮＴ値）、及び、受信ウィンドウの下端（又は上端）に対応するＰＤＣＰ-ＳＮのＰＤＣＰ-ＰＤＵに対する解匿処理に用いる予定のＨＦＮ（又は、ＣＯＵＮＴ値）の少なくとも１つを送信するように構成されているため、無線基地局ｅＮＢ（送信側）のＰＤＣＰレイヤで用いられるＨＦＮと移動局ＵＥ（受信側）のＰＤＣＰレイヤで用いられるＨＦＮとの間でずれが発生するという事態を回避することができる。
【００５０】
（変更例１）
なお、上述の第１の実施形態における移動局ＵＥの機能と同一の機能は、無線基地局ｅＮＢにおいて具備されていてもよい。
【００５１】
本実施形態に係る発明によれば、無線基地局ｅＮＢが、ＨＦＮ報告トリガを検出した場合に、移動局ＵＥに対して、最後にＰＤＣＰ-ＰＤＵに対する解匿処理に用いたＨＦＮ（又は、ＣＯＵＮＴ値）、次のＰＤＣＰ-ＰＤＵに対する解匿処理に用いる予定のＨＦＮ（又は、ＣＯＵＮＴ値）、及び、受信ウィンドウの下端（又は上端）に対応するＰＤＣＰ-ＳＮのＰＤＣＰ-ＰＤＵに対する解匿処理に用いる予定のＨＦＮ（又は、ＣＯＵＮＴ値）の少なくとも１つを送信するように構成されているため、移動局ＵＥ（送信側）のＰＤＣＰレイヤで用いられるＨＦＮと無線基地局ｅＮＢ（受信側）のＰＤＣＰレイヤで用いられるＨＦＮとの間でずれが発生するという事態を回避することができる。
【００５２】
以上に述べた本実施形態の特徴は、以下のように表現されていてもよい。
【００５３】
本実施形態の第１の特徴は、移動局ＵＥであって、ＰＤＣＰレイヤにおいて、無線基地局ｅＮＢから、ＰＤＣＰ-ＳＮがヘッダとして付与されているＰＤＣＰ-ＰＤＵを受信するように構成されている受信部１１と、ＰＤＣＰレイヤにおいて、無線基地局ｅＮＢに対して、ＰＤＣＰ-ＰＤＵを送信するように構成されている送信部１３とを具備しており、受信部１１は、受信したＰＤＣＰ-ＰＤＵにヘッダとして付与されているＰＤＣＰ-ＳＮが受信ウィンドウ内にある場合、ＨＦＮ及びＰＤＣＰ-ＳＮからなるＣＯＵＮＴ値を用いて、かかるＰＤＣＰ-ＰＤＵに対する解匿処理を施すように構成されており、送信部１３は、ＨＦＮ報告トリガ（所定トリガ）を検出した場合に、無線基地局ｅＮＢに対して、最後にＰＤＣＰ-ＰＤＵに対する解匿処理に用いたＨＦＮ又はＣＯＵＮＴ値を送信するように構成されていることを要旨とする。
【００５４】
本実施形態の第２の特徴は、移動局ＵＥであって、ＰＤＣＰレイヤにおいて、無線基地局ｅＮＢから、ＰＤＣＰ-ＳＮがヘッダとして付与されているＰＤＣＰ-ＰＤＵを受信するように構成されている受信部１１と、ＰＤＣＰレイヤにおいて、無線基地局ｅＮＢに対して、ＰＤＣＰ-ＰＤＵを送信するように構成されている送信部１３とを具備しており、受信部１１は、受信したＰＤＣＰ-ＰＤＵにヘッダとして付与されているＰＤＣＰ-ＳＮが受信ウィンドウ内にある場合、ＨＦＮ及びＰＤＣＰ-ＳＮからなるＣＯＵＮＴ値を用いて、かかるＰＤＣＰ-ＰＤＵに対する解匿処理を施すように構成されており、送信部１３は、ＨＦＮ報告トリガを検出した場合に、無線基地局ｅＮＢに対して、次のＰＤＣＰ-ＰＤＵに対する解匿処理に用いる予定のＨＦＮ又はＣＯＵＮＴ値を送信するように構成されていることを要旨とする。
【００５５】
本実施形態の第３の特徴は、移動局ＵＥであって、ＰＤＣＰレイヤにおいて、無線基地局ｅＮＢから、ＰＤＣＰ-ＳＮがヘッダとして付与されているＰＤＣＰ-ＰＤＵを受信するように構成されている受信部１１と、ＰＤＣＰレイヤにおいて、無線基地局ｅＮＢに対して、ＰＤＣＰ-ＰＤＵを送信するように構成されている送信部１３とを具備しており、受信部１１は、受信したＰＤＣＰ-ＰＤＵにヘッダとして付与されているＰＤＣＰ-ＳＮが受信ウィンドウ内にある場合、ＨＦＮ及びＰＤＣＰ-ＳＮからなるＣＯＵＮＴ値を用いて、かかるＰＤＣＰ-ＰＤＵに対する解匿処理を施すように構成されており、送信部１３は、ＨＦＮ報告トリガを検出した場合に、無線基地局ｅＮＢに対して、受信ウィンドウの下端又は上端に対応するＰＤＣＰ-ＳＮのＰＤＣＰ-ＰＤＵに対する解匿処理に用いる予定のＨＦＮ又はＣＯＵＮＴ値を送信するように構成されていることを要旨とする。
【００５６】
本実施形態の第４の特徴は、無線基地局ｅＮＢであって、ＰＤＣＰレイヤにおいて、移動局ＵＥから、ＰＤＣＰ-ＳＮがヘッダとして付与されているＰＤＣＰ-ＰＤＵを受信するように構成されている受信部１１と、ＰＤＣＰレイヤにおいて、移動局ＵＥに対して、ＰＤＣＰ-ＰＤＵを送信するように構成されている送信部１３とを具備しており、受信部１１は、受信したＰＤＣＰ-ＰＤＵにヘッダとして付与されているＰＤＣＰ-ＳＮが受信ウィンドウ内にある場合、ＨＦＮ及びＰＤＣＰ-ＳＮからなるＣＯＵＮＴ値を用いて、かかるＰＤＣＰ-ＰＤＵに対する解匿処理を施すように構成されており、送信部１３は、ＨＦＮ報告トリガを検出した場合に、移動局ＵＥに対して、最後にＰＤＣＰ-ＰＤＵに対する解匿処理に用いたＨＦＮ又はＣＯＵＮＴ値を送信するように構成されていることを要旨とする。
【００５７】
本実施形態の第５の特徴は、無線基地局ｅＮＢであって、ＰＤＣＰレイヤにおいて、移動局ＵＥから、ＰＤＣＰ-ＳＮがヘッダとして付与されているＰＤＣＰ-ＰＤＵを受信するように構成されている受信部１１と、ＰＤＣＰレイヤにおいて、移動局ＵＥに対して、ＰＤＣＰ-ＰＤＵを送信するように構成されている送信部１３とを具備しており、受信部１１は、受信したＰＤＣＰ-ＰＤＵにヘッダとして付与されているＰＤＣＰ-ＳＮが受信ウィンドウ内にある場合、ＨＦＮ及びＰＤＣＰ-ＳＮからなるＣＯＵＮＴ値を用いて、かかるＰＤＣＰ-ＰＤＵに対する解匿処理を施すように構成されており、送信部１３は、ＨＦＮ報告トリガを検出した場合に、移動局ＵＥに対して、次のＰＤＣＰ-ＰＤＵに対する解匿処理に用いる予定のＨＦＮ又はＣＯＵＮＴ値を送信するように構成されていることを要旨とする。
【００５８】
本実施形態の第６の特徴は、無線基地局ｅＮＢであって、ＰＤＣＰレイヤにおいて、移動局ＵＥから、ＰＤＣＰ-ＳＮがヘッダとして付与されているＰＤＣＰ-ＰＤＵを受信するように構成されている受信部１１と、ＰＤＣＰレイヤにおいて、移動局ＵＥに対して、ＰＤＣＰ-ＰＤＵを送信するように構成されている送信部１３とを具備しており、受信部１１は、受信したＰＤＣＰ-ＰＤＵにヘッダとして付与されているＰＤＣＰ-ＳＮが受信ウィンドウ内にある場合、ＨＦＮ及びＰＤＣＰ-ＳＮからなるＣＯＵＮＴ値を用いて、かかるＰＤＣＰ-ＰＤＵに対する解匿処理を施すように構成されており、送信部１３は、ＨＦＮ報告トリガを検出した場合に、移動局ＵＥに対して、受信ウィンドウの下端又は上端に対応するＰＤＣＰ-ＳＮのＰＤＣＰ-ＰＤＵに対する解匿処理に用いる予定のＨＦＮ又はＣＯＵＮＴ値を送信するように構成されていることを要旨とする。
【００５９】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６３】
ＵＥ…移動局
ｅＮＢ…無線基地局
１１…受信部
１２…管理部
１３…送信部
【図１】
0006001886.tif 000002
【図２】
0006001886.tif 000003
【図３】
0006001886.tif 000004
【図４】
0006001886.tif 000005
【図５】
0006001886.tif 000006
【図６】
0006001886.tif 000007
【図７】
0006001886.tif 000008
【図８】
0006001886.tif 000009
【図９】
0006001886.tif 000010
【図１０】
0006001886.tif 000011